(57)【要約】【課題】サーバー装置にデータを供給して記憶させることが可能な電子機器において、電子機器を操作するユーザーにとってユーザーフレンドリーとする。【解決手段】電子機器は、前記電子機器から取得するデータを記憶することが可能なサーバー装置と通信するインターフェースである通信部と、前記サーバー装置が前記電子機器から取得するデータを記憶することが可能な１以上のフォルダーのフォルダー名のうち、特定のキーワードを含む１以上のフォルダー名のリストを前記サーバー装置にリクエストし、前記リストを前記サーバー装置から取得するリスト取得部と、前記リストに含まれる前記１以上のフォルダー名から、１個のフォルダー名を選択し、前記選択したフォルダー名を、前記サーバー装置に通知するフォルダー名決定部と、前記フォルダー名が示すフォルダーに記憶するためのデータを、前記サーバー装置に供給するデータ供給部とを具備する。【選択図】図４
2018077598.tif 000002
【特許請求の範囲】
【請求項１】
電子機器であって、
前記電子機器から取得するデータを記憶することが可能なサーバー装置と通信するインターフェースである通信部と、
前記サーバー装置が前記電子機器から取得するデータを記憶することが可能な１以上のフォルダーのフォルダー名のうち、特定のキーワードを含む１以上のフォルダー名のリストを前記サーバー装置にリクエストし、
前記リストを前記サーバー装置から取得する
リスト取得部と、
前記リストに含まれる前記１以上のフォルダー名から、１個のフォルダー名を選択し、
前記選択したフォルダー名を、前記サーバー装置に通知する
フォルダー名決定部と、
前記フォルダー名が示すフォルダーに記憶するためのデータを、前記サーバー装置に供給するデータ供給部と
を具備する電子機器。
【請求項２】
請求項１に記載の電子機器であって、
前記フォルダー名決定部は、
前記フォルダー名を選択する代わりに、前記リストに含まれる前記１以上のフォルダー名と異なる新規フォルダー名を生成し、
前記新規フォルダー名を、前記サーバー装置に通知する
電子機器。
【請求項３】
請求項１又は２に記載の電子機器であって、
前記新規フォルダー名決定部は、
前記リスト取得部が前記リストを取得しないとき、新規フォルダー名を生成し、
前記新規フォルダー名を、前記サーバー装置に通知する
電子機器。
【請求項４】
請求項１乃至３の何れか一項に記載の電子機器であって、
前記リスト取得部は、ユーザーが入力したキーワードを、前記特定のキーワードとして取得する
電子機器。
【請求項５】
請求項１乃至４の何れか一項に記載の電子機器であって、
前記サーバー装置に別のデータを記憶させる場合、
前記フォルダー名決定部は、前記通知したフォルダー名と同じフォルダー名を、前記サーバー装置に通知し、
前記データ供給部は、前記別のデータを、前記サーバー装置に供給する
電子機器。
【請求項６】
請求項１乃至５の何れか一項に記載の電子機器であって、
前記電子機器は、画像形成装置である
電子機器。
【請求項７】
電子機器のコンピューターを、
前記電子機器から取得するデータを記憶することが可能なサーバー装置と通信するインターフェースである通信部と、
前記サーバー装置が前記電子機器から取得するデータを記憶することが可能な１以上のフォルダーのフォルダー名のうち、特定のキーワードを含む１以上のフォルダー名のリストを前記サーバー装置にリクエストし、
前記リストを前記サーバー装置から取得する
リスト取得部と、
前記リストに含まれる前記１以上のフォルダー名から、１個のフォルダー名を選択
し、
前記選択したフォルダー名を、前記サーバー装置に通知する
フォルダー名決定部と、
前記フォルダー名が示すフォルダーに記憶するためのデータを、前記サーバー装置に供給するデータ供給部と
して機能させるプログラム。
【請求項８】
電子機器と、
前記電子機器と通信し、前記電子機器から取得するデータを記憶することが可能なサーバー装置と
を具備し、
前記電子機器は、
前記サーバー装置が前記電子機器から取得するデータを記憶することが可能な１以上のフォルダーのフォルダー名のうち、特定のキーワードを含む１以上のフォルダー名のリストを前記サーバー装置にリクエストし、
前記リストを前記サーバー装置から取得する
リスト取得部と、
前記リストに含まれる前記１以上のフォルダー名から、１個のフォルダー名を選択し、
前記選択したフォルダー名を、前記サーバー装置に通知する
フォルダー名決定部と、
前記フォルダー名が示すフォルダーに記憶するためのデータを、前記サーバー装置に供給するデータ供給部と
を有する
情報処理システム。
【発明の詳細な説明】
【技術分野】
【０００１】
本開示は、サーバー装置にデータを供給して記憶させることが可能な電子機器及びプログラムと、これらの電子機器及びサーバー装置を有する情報処理システムとに関する。
【背景技術】
【０００２】
サーバー装置にデータを供給して記憶させることが可能な電子機器が知られている（特許文献１及び特許文献２）。
【先行技術文献】
【特許文献】
【０００３】
【特許文献１】特開２００１−３５８８８２号公報
【特許文献２】特開２００５−１７４０５５号公報
【発明の概要】
【発明が解決しようとする課題】
【０００４】
サーバー装置にデータを供給して記憶させることが可能な電子機器においては、電子機器を操作するユーザーにとってユーザーフレンドリーであることが望まれる。
【０００５】
以上のような事情に鑑み、本開示の目的は、サーバー装置にデータを供給して記憶させることが可能な電子機器において、電子機器を操作するユーザーにとってユーザーフレンドリーとすることにある。
【課題を解決するための手段】
【０００６】
本開示の一形態に係る電子機器は、
前記電子機器から取得するデータを記憶することが可能なサーバー装置と通信するインターフェースである通信部と、
前記サーバー装置が前記電子機器から取得するデータを記憶することが可能な１以上のフォルダーのフォルダー名のうち、特定のキーワードを含む１以上のフォルダー名のリストを前記サーバー装置にリクエストし、
前記リストを前記サーバー装置から取得する
リスト取得部と、
前記リストに含まれる前記１以上のフォルダー名から、１個のフォルダー名を選択し、
前記選択したフォルダー名を、前記サーバー装置に通知する
フォルダー名決定部と、
前記フォルダー名が示すフォルダーに記憶するためのデータを、前記サーバー装置に供給するデータ供給部と
を具備する。
【０００７】
本形態によれば、記憶先の候補としてのフォルダーのフォルダー名がキーワードに基づき選別されるので、ユーザーが適切なフォルダー名を正しく選択しやすくなる。また、サーバー装置は電子機器にフォルダー名のリストを供給するだけでよい。言い換えれば、サーバー装置は電子機器に、リストに含まれる１以上のフォルダーにアクセスするための情報等を供給する必要が無いので、通信データ量が少なくて済み、処理時間も少なくて済む。
【０００８】
前記フォルダー名決定部は、
前記フォルダー名を選択する代わりに、前記リストに含まれる前記１以上のフォルダー名と異なる新規フォルダー名を生成し、
前記新規フォルダー名を、前記サーバー装置に通知する。
【０００９】
本形態によれば、記憶先の候補としてのフォルダーのフォルダー名のリストを提示したうえで、新規フォルダー名を生成するので、新規フォルダーを生成する必要が無いのに誤って生成してしまうおそれが減る。
【００１０】
前記新規フォルダー名決定部は、
前記リスト取得部が前記リストを取得しないとき、新規フォルダー名を生成し、
前記新規フォルダー名を、前記サーバー装置に通知する。
【００１１】
前記リスト取得部は、ユーザーが入力したキーワードを、前記特定のキーワードとして取得する。
【００１２】
本形態によれば、記憶先の候補としてのフォルダーのフォルダー名がユーザーが入力したキーワードに基づき選別されるので、ユーザーが適切なフォルダー名を正しく選択しやすくなる。
【００１３】
前記サーバー装置に別のデータを記憶させる場合、
前記フォルダー名決定部は、前記通知したフォルダー名と同じフォルダー名を、前記サーバー装置に通知し、
前記データ供給部は、前記別のデータを、前記サーバー装置に供給する。
【００１４】
本形態によれば、データをサーバー装置に連続して記憶する際に、ユーザーがフォルダーを指定する手間を省くことができる。
【００１５】
前記電子機器は、画像形成装置である。
【００１６】
本形態によれば、記憶先の候補としてのフォルダーのフォルダー名がキーワードに基づき選別されるので、大量のフォルダー名を表示する必要が減り、表示画面の小さな画像形成装置であっても、ユーザーが適切なフォルダー名を正しく選択しやすくなる。
【００１７】
本開示の一形態に係るプログラムは、
電子機器のコンピューターを、
前記電子機器から取得するデータを記憶することが可能なサーバー装置と通信するインターフェースである通信部と、
前記サーバー装置が前記電子機器から取得するデータを記憶することが可能な１以上のフォルダーのフォルダー名のうち、特定のキーワードを含む１以上のフォルダー名のリストを前記サーバー装置にリクエストし、
前記リストを前記サーバー装置から取得する
リスト取得部と、
前記リストに含まれる前記１以上のフォルダー名から、１個のフォルダー名を選択
し、
前記選択したフォルダー名を、前記サーバー装置に通知する
フォルダー名決定部と、
前記フォルダー名が示すフォルダーに記憶するためのデータを、前記サーバー装置に供給するデータ供給部と
して機能させる。
【００１８】
本開示の一形態に係る情報処理システムは、
電子機器と、
前記電子機器と通信し、前記電子機器から取得するデータを記憶することが可能なサーバー装置と
を具備し、
前記電子機器は、
前記サーバー装置が前記電子機器から取得するデータを記憶することが可能な１以上のフォルダーのフォルダー名のうち、特定のキーワードを含む１以上のフォルダー名のリストを前記サーバー装置にリクエストし、
前記リストを前記サーバー装置から取得する
リスト取得部と、
前記リストに含まれる前記１以上のフォルダー名から、１個のフォルダー名を選択し、
前記選択したフォルダー名を、前記サーバー装置に通知する
フォルダー名決定部と、
前記フォルダー名が示すフォルダーに記憶するためのデータを、前記サーバー装置に供給するデータ供給部と
を有する。
【発明の効果】
【００１９】
本開示によれば、サーバー装置にデータを供給して記憶させることが可能な電子機器において、電子機器を操作するユーザーにとってユーザーフレンドリーとすることができる。
【００２０】
なお、ここに記載された効果は必ずしも限定されるものではなく、本開示中に記載されたいずれかの効果であってもよい。
【図面の簡単な説明】
【００２１】
【図１】本開示の一実施形態に係る情報処理システムを示す。
【図２】画像形成装置のハードウェア構成を示す。
【図３】情報処理システムの機能的構成を示す。
【図４】画像形成装置の動作フローを示す。
【図５】サーバー装置の動作フローを示す。
【発明を実施するための形態】
【００２２】
以下、図面を参照しながら、本開示の実施形態を説明する。
【００２３】
１．情報処理システム
図１は、本開示の一実施形態に係る情報処理システムを示す。
【００２４】
情報処理システム１は、電子機器１０と、サーバー装置２０とを有する。電子機器１０と、サーバー装置２０とは、ネットワークＮを介して相互に通信可能である。ネットワークＮは、インターネット又はイントラネットである。
【００２５】
電子機器１０は、本実施形態では、ＭＦＰ（Multifunction Peripheral）等の画像形成装置であり、以下単にＭＦＰ１０と称する。
【００２６】
サーバー装置２０は、大容量の記憶装置を有する情報処理装置である。サーバー装置２０は、ＭＦＰ１０からアップロードされたデータを取得して記憶する。
【００２７】
２．画像形成装置のハードウェア構成
図２は、画像形成装置のハードウェア構成を示す。
【００２８】
ＭＦＰ１０は、制御部１１を備える。制御部１１は、ＣＰＵ（Central Processing Unit）、ＲＡＭ（Random Access Memory）、ＲＯＭ（Read Only Memory）及び専用のハードウェア回路等から構成され、ＭＦＰ１０の全体的な動作制御を司る。ＭＦＰ１０を各機能部（後述）として機能させるコンピュータプログラムは、ＲＯＭ等の非一過性のコンピューター読み取り可能な記憶媒体に記憶される。
【００２９】
制御部１１は、画像読取部１２、画像処理部１４、画像メモリー１５、画像形成部１６、操作部１７、記憶部１８、ネットワーク通信部１３等と接続されている。制御部１１は、接続されている上記各部の動作制御や、各部との間での信号又はデータの送受信を行う。
【００３０】
制御部１１は、ユーザーから、操作部１７またはネッワーク接続されたパーソナルコンピュータ（図示せず）等を通じて入力されるジョブの実行指示に従って、スキャナー機能、印刷機能及びコピー機能機能などの各機能についての動作制御を実行するために必要な機構の駆動及び処理を制御する。
【００３１】
画像読取部１２は、原稿から画像を読み取る。
【００３２】
画像処理部１４は、画像読取部１２で読み取られた画像の画像データを必要に応じて画像処理する。例えば、画像処理部１４は、画像読取部１２により読み取られた画像が画像形成された後の品質を向上させるために、シェーディング補正等の画像処理を行う。
【００３３】
画像メモリー１５は、画像読取部１２による読み取りで得られた原稿画像のデータを一時的に記憶したり、画像形成部１６での印刷対象となるデータを一時的に記憶したりする領域を有する。
【００３４】
画像形成部１６は、画像読取部１２で読み取られた画像データ等の画像形成を行う。
【００３５】
操作部１７は、ＭＦＰ１が実行可能な各種動作及び処理についてユーザーからの指示を受け付けるタッチパネル部および操作キー部を備える。タッチパネル部は、タッチパネルが設けられたＬＣＤ（Liquid Crystal Display）等の表示部１７ａを備えている。
【００３６】
ネットワーク通信部１３は、ネットワークに接続するためのインターフェースである。
【００３７】
記憶部１８は、画像読取部１２によって読み取られた原稿画像等を記憶する、ＨＤＤ（Hard Disk Drive）などの大容量の記憶装置である。
【００３８】
３．サーバー装置のハードウェア構成
サーバー装置２０は、パーソナルコンピューター等の典型的な情報処理装置であり、そのハードウェア構成は図示を省略する。サーバー装置２０のＣＰＵ（Central Processing Unit）は、ＲＯＭ（Read Only Memory）に記録されたプログラムをＲＡＭ（Random Access Memory）にロードして実行する。サーバー装置２０は、大容量の記憶装置を有し、ＭＦＰ１０からアップロードされたデータを取得して記憶する。
【００３９】
４．情報処理システムの機能的構成
図３は、情報処理システムの機能的構成を示す。
【００４０】
ＭＦＰ１０は、コンピューター読み取り可能な非一過性の記憶媒体の一例であるＲＯＭに記憶された情報処理プログラムをＲＡＭにロードして実行することで、リスト取得部１０１と、フォルダー名決定部１０２と、データ供給部１０３として機能する。
【００４１】
サーバー装置２０は、コンピューター読み取り可能な非一過性の記憶媒体の一例であるＲＯＭに記憶された情報処理プログラムをＲＡＭにロードして実行することで、リスト供給部２０１と、フォルダー決定部２０２と、データ記憶部２０３として機能する。
【００４２】
ＭＦＰ１０のリスト取得部１０１は、サーバー装置２０がＭＦＰ１０から取得するデータを記憶することが可能な１以上のフォルダーのフォルダー名のうち、特定のキーワードを含む１以上のフォルダー名のリスト（又は全てのフォルダーのフォルダー名のリスト）をサーバー装置２０にリクエストして取得する。
【００４３】
サーバー装置２０のリスト供給部２０１は、ＭＦＰ１０から、フォルダー名のリストのリクエストを取得し、フォルダー名のリストを作成してＭＦＰ１０に供給する。
【００４４】
ＭＦＰ１０のフォルダー名決定部１０２は、サーバー装置２０から取得したリストに含まれる１以上のフォルダー名から、１個のフォルダー名を選択する。あるいは、フォルダー名決定部１０２は、リストに含まれる１以上のフォルダー名と異なる新規フォルダー名を生成する。フォルダー名決定部１０２は、選択又は生成したフォルダー名を、サーバー装置２０に通知する。
【００４５】
サーバー装置２０のフォルダー決定部２０２は、ＭＦＰ１０から通知されたフォルダー名が示すフォルダーをデータの記憶先として選択するか、通知されたフォルダー名が示す新規のフォルダーを作成する。
【００４６】
ＭＦＰ１０のデータ供給部１０３は、通知したフォルダー名が示すフォルダーに記憶するためのデータを、サーバー装置２０に供給する。
【００４７】
サーバー装置２０のデータ記憶部２０３は、ＭＦＰ１０から取得したデータを、選択したフォルダー又は新規のフォルダーに記憶する。
【００４８】
５．情報処理システムの動作フロー
図４は、画像形成装置の動作フローを示す。図５は、サーバー装置の動作フローを示す。
【００４９】
ＭＦＰ１０がサーバー装置２０にデータを供給し、サーバー装置２０が、ＭＦＰ１０から取得するデータを、サーバー装置２０のフォルダーに記憶する動作を説明する。
【００５０】
ＭＦＰ１０のリスト取得部１０１は、ユーザーが操作部１７を操作して入力したキーワードを取得する（ステップＳ１０１、ＹＥＳ）。「キーワード」は、ユーザーがフォルダー名に含まれる語句を意図して入力した語句である。リスト取得部１０１は、サーバー装置２０がこのＭＦＰ１０から取得するデータを記憶することが可能な１以上のフォルダーのフォルダー名のうち、取得したキーワードを含む１以上のフォルダー名のリストを、ネットワークＮを介してサーバー装置２０にリクエストする（ステップＳ１０２）。
【００５１】
あるいは、リスト取得部１０１は、キーワードが入力されなければ（ステップＳ１０１、ＮＯ）、サーバー装置２０がこのＭＦＰ１０から取得するデータを記憶することが可能な全てのフォルダーのフォルダー名のリストを、ネットワークＮを介してサーバー装置２０にリクエストする（ステップＳ１０３）。
【００５２】
サーバー装置２０のリスト供給部２０１は、ネットワークＮを介してＭＦＰ１０から、リストのリクエストを取得する（ステップＳ２０１）。リスト供給部２０１は、取得したリクエストが、特定のキーワードを含む１以上のフォルダー名のリストのリクエストであるか、あるいは、全てのフォルダーのフォルダー名のリストであるかを判断する（ステップＳ２０２）。
【００５３】
特定のキーワードを含む１以上のフォルダー名のリストのリクエストの場合（ステップＳ２０２、ＹＥＳ）、リスト供給部２０１は、このＭＦＰ１０から取得するデータを記憶することが可能な１以上のフォルダーのフォルダー名のうち、このキーワードを含む１以上のフォルダー名のリストを作成する（ステップＳ２０３、ＹＥＳ）。一方、全てのフォルダーのフォルダー名のリストのリクエストの場合（ステップＳ２０２、ＮＯ）、リスト供給部２０１は、このＭＦＰ１０から取得するデータを記憶することが可能な全てのフォルダーのフォルダー名のリストを作成する（ステップＳ２０４、ＹＥＳ）。リスト供給部２０１は、作成したフォルダー名のリストを、ネットワークＮを介してＭＦＰ１０に供給する（ステップＳ２０５）。
【００５４】
一方、リスト供給部２０１は、このＭＦＰ１０から取得するデータを記憶することが可能な１以上のフォルダーのフォルダー名のうち、このキーワードを含むフォルダー名が無い場合、リストを作成できない（ステップＳ２０３、ＮＯ）。同様に、このＭＦＰ１０から取得するデータを記憶することが可能なフォルダーが無い場合、リストを作成できない（ステップＳ２０４、ＮＯ）。リスト供給部２０１は、リストを作成できなければ、リストをＭＦＰ１０に供給することができないため、処理を終了する。
【００５５】
ＭＦＰ１０のリスト取得部１０１は、ネットワークＮを介してサーバー装置２０から、フォルダー名のリストを取得する（ステップＳ１０４、ＹＥＳ）。リスト取得部１０１は、取得したフォルダー名のリストを、表示部１７ａに表示する（ステップＳ１０５）。リスト取得部１０１は、例えば、キーワード（ステップＳ１０１）と完全同一のフォルダー名を最上段に表示する等してもよい。
【００５６】
ＭＦＰ１０のフォルダー名決定部１０２は、表示されたリストに含まれる１以上のフォルダー名から、ユーザーからの操作部１７に対する操作に基づき、１個のフォルダー名を選択する（ステップＳ１０６、ＹＥＳ）。
【００５７】
一方、表示されたリストにユーザーが望むフォルダー名が無い場合（ステップＳ１０６、ＮＯ）、フォルダー名決定部１０２は、フォルダー名を選択する代わりに、ユーザーからの操作部１７に対する操作に基づき、リストに含まれる１以上のフォルダー名と異なる新規フォルダー名を生成する（ステップＳ１０７、ＹＥＳ）。あるいは（ステップＳ１０７、ＮＯ）、ユーザーが操作部１７を操作して新規のキーワードを入力すれば（ステップＳ１０１、ＹＥＳ）、リスト取得部１０１は、新規のキーワードに基づきリストをサーバー装置２０にリクエストする（ステップＳ１０２）。
【００５８】
一方、リスト取得部１０１がサーバー装置２０からリストを取得しなかった場合も同様である（ステップＳ１０４、ＮＯ）。この場合も、フォルダー名決定部１０２は、ユーザーからの操作部１７に対する操作に基づき、新規フォルダー名を生成する（ステップＳ１０７、ＹＥＳ）。あるいは（ステップＳ１０７、ＮＯ）、ユーザーが操作部１７を操作して新規のキーワードを入力すれば（ステップＳ１０１、ＹＥＳ）、リスト取得部１０１は、新規のキーワードに基づきリストをサーバー装置２０にリクエストする（ステップＳ１０２）。
【００５９】
フォルダー名決定部１０２は、リストから選択したフォルダー名（ステップＳ１０６、ＹＥＳ）又は生成した新規のフォルダー名（ステップＳ１０７、ＹＥＳ）を、ネットワークＮを介してサーバー装置２０に通知する（ステップＳ１０８）。
【００６０】
サーバー装置２０のフォルダー決定部２０２は、ネットワークＮを介してＭＦＰ１０から、フォルダー名の通知を受ける（ステップＳ２０６、ＹＥＳ）。フォルダー決定部２０２は、通知されたフォルダー名が、供給（ステップＳ２０５）したリストに含まれるか否かを判断する（ステップＳ２０７）。通知されたフォルダー名がリストに含まれる場合（ステップＳ２０７、ＹＥＳ）、フォルダー決定部２０２は、通知されたフォルダー名が示すフォルダーを、データの記憶先として選択する（ステップＳ２０８）。一方、通知されたフォルダー名がリストに含まれない場合（ステップＳ２０７、ＮＯ）、フォルダー決定部２０２は、データの記憶先として、通知されたフォルダー名が示す新規のフォルダーを作成する（ステップＳ２０９）。
【００６１】
一方、ＭＦＰ１０のデータ供給部１０３は、ネットワークＮを介してサーバー装置２０に、通知（ステップＳ１０８）したフォルダー名が示すフォルダーに記憶するためのデータを供給する（ステップＳ１０９）。
【００６２】
サーバー装置２０のデータ記憶部２０３は、ネットワークＮを介してＭＦＰ１０から、データを取得する（ステップＳ２１０）。データ記憶部２０３は、取得したデータを、選択したフォルダー（ステップＳ２０８）又は新規のフォルダー（ステップＳ２０９）に記憶する（ステップＳ２１１）。
【００６３】
その後、ＭＦＰ１０は、ユーザーからの操作部１７に対する操作を受け付けた場合、サーバー装置２０に別のデータを記憶させるための処理を開始する（ステップＳ１１０、ＹＥＳ）。まず、フォルダー名決定部１０２は、ユーザーからの操作部１７に対する操作に基づき、前回の記憶先のフォルダーと同じフォルダーを記憶先とするか否かを判断する（ステップＳ１１１）。
【００６４】
前回の記憶先のフォルダーと同じフォルダーを記憶先とする場合（ステップＳ１１１、ＹＥＳ）、フォルダー名決定部１０２は、前回サーバー装置２０に通知（ステップＳ１０８）したフォルダー名と同じフォルダー名を、再び、ネットワークＮを介してサーバー装置２０に通知する（ステップＳ１０８）。
【００６５】
サーバー装置２０のフォルダー決定部２０２は、ネットワークＮを介してＭＦＰ１０から、フォルダー名の通知を受ける（ステップＳ２１２、ＹＥＳ）。フォルダー決定部２０２は、通知されたフォルダー名が示すフォルダーを、別のデータの記憶先として選択する（ステップＳ２０８）。
【００６６】
ＭＦＰ１０がサーバー装置２０にデータを供給し（ステップＳ１０９以下）、サーバー装置２０がＭＦＰ１０からデータを取得し記憶（ステップＳ２１０以下）する動作は上と同様なので、説明を省略する。
【００６７】
一方、前回の記憶先のフォルダーと同じフォルダーを記憶先としない場合（ステップＳ１１１、ＮＯ）、リスト取得部１０１は、リストをサーバー装置２０にリクエストする（ステップＳ１０２又はステップＳ１０３）。サーバー装置２０のリスト供給部２０１は、ネットワークＮを介してＭＦＰ１０から、リストのリクエストを取得する（ステップＳ２１３、ＹＥＳ）。その後の動作（ステップＳ２０２以下、ステップＳ１０４以下）は上と同様なので、説明を省略する。
【００６８】
６．まとめ
画像形成装置からサーバー装置にデータを供給して記憶させるとき、画像形成装置が記憶先のフォルダーを指定すれば、データがフォルダーに分類されて記憶され、ユーザーとって便利である。
【００６９】
フォルダーを指定する方法としては、以下の一例が考えられる。画像形成装置がフォルダー名をサーバー装置に通知し、サーバー装置は、通知されたフォルダー名と同名のフォルダーがあれば、同名のフォルダーにデータを記憶する。同名のフォルダーが無い場合、サーバー装置は、通知されたフォルダー名の新規フォルダーを作成し、その新規フォルダー内にデータを記憶する。しかし、この方法では、既存のフォルダーに記憶したいとき、ユーザーは、既存のフォルダーのフォルダー名と完全に一致するフォルダー名を入力しなければならず、手間である。また、仮に、既存のフォルダーのフォルダー名と異なる誤ったフォルダー名をユーザーが入力してしまうと、サーバー装置は、その誤ったフォルダー名のフォルダーを新規に生成してしまうこととなり、ユーザーの意図したフォルダーにデータが記憶されない問題が生じる。
【００７０】
これに対して、本実施形態によれば、ＭＦＰ１０のリスト取得部１０１は、サーバー装置２０がＭＦＰ１０から取得するデータを記憶することが可能な１以上のフォルダーのフォルダー名のうち、特定のキーワードを含む１以上のフォルダー名のリストをサーバー装置２０にリクエストし、リストをサーバー装置２０から取得する。ＭＦＰ１０のフォルダー名決定部１０２は、取得したリストに含まれる１以上のフォルダー名から、１個のフォルダー名を選択し、選択したフォルダー名を、データの記憶先として、サーバー装置２０に通知する。
【００７１】
これにより、記憶先の候補としてのフォルダーのフォルダー名がキーワードに基づき選別されるので、ユーザーが適切なフォルダー名を正しく選択しやすくなる。また、サーバー装置２０はＭＦＰ１０にフォルダー名のリストを供給するだけでよい。言い換えれば、サーバー装置２０はＭＦＰ１０に、リストに含まれる１以上のフォルダーにアクセスするための情報等を供給する必要が無いので、通信データ量が少なくて済み、処理時間も少なくて済む。また、記憶先の候補としてのフォルダーのフォルダー名のリストを提示したうえで、新規フォルダー名を生成するので、ＭＦＰ１０のフォルダー名決定部１０２が新規フォルダーを生成する必要が無いのに誤って生成してしまうおそれが減る。
【００７２】
また、本実施形態によれば、サーバー装置２０に別のデータを記憶させる場合、ＭＦＰ１０のフォルダー名決定部１０２は、先に通知したフォルダー名と同じフォルダー名を、サーバー装置２０に通知してもよい。
【００７３】
これにより、データをサーバー装置２０に連続して記憶する際に、ユーザーがフォルダーを指定する手間を省くことができる。
【００７４】
本技術の各実施形態及び各変形例について上に説明したが、本技術は上述の実施形態にのみ限定されるものではなく、本技術の要旨を逸脱しない範囲内において種々変更を加え得ることは勿論である。
【符号の説明】
【００７５】
１…情報処理システム
１０…ＭＦＰ
１３…ネットワーク通信部
２０…サーバー装置
１０１…リスト取得部
１０２…フォルダー名決定部
１０３…データ供給部
２０１…リスト供給部
２０２…フォルダー決定部
２０３…データ記憶部
【図１】
2018077598.tif 000003
【図２】
2018077598.tif 000004
【図３】
2018077598.tif 000005
【図４】
2018077598.tif 000006
【図５】
2018077598.tif 000007